(57)【要約】【課題】コストが安価であり、作業負担が軽くなる植物栽培用誘引装置を提供する。【解決手段】植物栽培用誘引装置１は、温室内で植物の栽培ベッド１０の上方の所定の高さに配設されたレール２０と、このレール２０に沿って延びる支持部材３１及び支持部材３１の延びる方向に所定間隔を有して配設されてレール２０に対して支持部材３１を移動自在に支持する複数個の支持部を有したランナ３０と、ランナ３０に設けられて誘引具５０を着脱自在に取り付ける紐部材４０とを有する。レール２０は、分割可能に連結されて端部に湾曲したレール部材を配置して環状に形成される。紐部材４０は、支持部材３１の一端側と他端側を繋いで支持部材３１の下方で交差する。レール２０には、誘引紐７０に係止された植物の自重によって引っ張られる支持部材３１の移動を規制する移動規制部材が取り付けられる。【選択図】  図１
2007151434.tif 000002
【特許請求の範囲】
【請求項１】
施設内で植物の栽培列の上方の所定の高さに配設されたレールと、
該レールに沿って延びる支持部材及び該支持部材の延びる方向に所定間隔を有して配設されて前記レールに対して前記支持部材を移動自在に支持する複数個の支持部を有したランナと、
該ランナに設けられて誘引具を着脱自在に取り付ける紐部材と
を有することを特徴とする植物栽培用誘引装置。
【請求項２】
施設内で植物の栽培列の上方の所定の高さに配設されたレールと、
該レールに沿って延びる支持部材及び該支持部材の延びる方向に沿って延びて前記レールに対して前記支持部材を摺動自在に支持する支持部を有したランナと、
該ランナに設けられて誘引具を着脱自在に取り付ける紐部材と
を有することを特徴とする植物栽培用誘引装置。
【請求項３】
前記レールは、互いに着脱可能なレール部材を複数連結してなることを特徴とする請求項１又は２に記載の植物栽培用誘引装置。
【請求項４】
前記レールは、互いに着脱可能なレール部材を複数連結して湾曲したレール部材を端部に配置して環状に形成されることを特徴とする請求項１に記載の植物栽培用誘引装置。
【請求項５】
前記レールは、前記栽培列の上方の所定の高さに張り渡された支持ワイヤに着脱自在に取り付け可能であることを特徴とする請求項１から４のいずれかに記載の植物栽培用誘引装置。
【請求項６】
前記紐部材は、前記支持部材の一端側と他端側を繋いで前記支持部材の下方で交差することを特徴とする請求項１から５のいずれかに記載の植物栽培用誘引装置。
【請求項７】
前記レールに着脱可能に取り付けられ、前記誘引具から延びる誘引紐に係止された植物の自重によって引っ張られる前記支持部材の移動を規制する移動規制部材を設けたことを特徴とする請求項１から６のいずれかに記載の植物栽培用誘引装置。
【発明の詳細な説明】
【技術分野】
【０００１】
本発明は、植物の成長に合わせて植物の茎を誘引する植物栽培用誘引装置に関する。
【背景技術】
【０００２】
トマトやキュウリ等の蔓性の植物を栽培する場合、植物の周年生産や多収化を可能にするハイワイヤー栽培法が注目されている。このハイワイヤー栽培法は、水平に張られた誘引線に誘引具を掛け、誘引具から誘引紐を垂らして植物を誘引する。そして、植物が成長して誘引線の高さを超えると、誘引具から誘引紐を繰り出して植物を所定の高さ（例えば、約３０ｃｍ）だけ下に降ろすとともに、誘引紐を横方向に移動させて茎を斜めに引き回して茎の折れ曲がりを防止する。
【０００３】
このようなハイワイヤー栽培法を利用した栽培装置には、特許文献１に記載のように、ループ状に形成されたレール内にチェーン等の走行部材を配設し、この走行部材を動かすための駆動部をレールに取り付け、走行部材に基台部を固定し、基台部に設けられた２つのローラにループ状の紐部材を掛け回して下方に垂れ下げ、垂れ下がった一方の紐部材に栽培容器を取り付け、他方の紐部材に栽培容器から誘引される植物の茎を係止したものや、特許文献２に記載のように、ベッド上に所定間隔を有して栽培容器を複数載置し、誘引線に取り付けた複数の誘引具のそれぞれから誘引紐を垂らして対応する栽培容器から延びる植物の茎を上方へ誘引するものが知られている。
【０００４】
【特許文献１】特開２０００−２０９９４９号公報
【特許文献２】特開２００１−２６９０６４号公報
【発明の開示】
【発明が解決しようとする課題】
【０００５】
特許文献１に記載の栽培装置は、レール内にチェーン等の走行部材が配設され、この走行部材を動かすための駆動部がレールに取り付けられており、構造が複雑である。またこの栽培装置は、植物全体を栽培容器ごと移動させるものであり、複数の栽培容器がレールに取り付けられているので、レールに作用する負荷は大きく、レールの剛性や支持を強化する必要がある。このため、この栽培装置はコストが高くなるという問題がある。
【０００６】
また特許文献２に記載の栽培装置は、誘引線にワイヤが使用されているものでは、ワイヤ表面の凹凸が摩擦抵抗を大きくするので、誘引具を水平方向に移動させようとすると、この誘引具に誘引された植物全体を持ち上げなければ誘引具を移動させることができないという問題がある。また誘引線にはこれを支持する等の目的で誘引線に対して等間隔に交差する他のワイヤが配設されている場合がある。この場合も、誘引具を持ち上げて完全に外した状態にしなければ誘引具を移動させることができない場合がある。これらの作業は、通常２．５〜５ｋｇの重量を有した植物を肩より上の高さまで持ち上げなければならないので、作業者の負担は大きい。これは一般的に背の低い作業者ほど不利であり、また栽培面積の大規模化に伴って女性や高齢者の雇用を考慮すると、これらの作業者の負担がますます大きくなる。さらに多収化を目指せば果実重量が増大して植物全体の重量も増大することが予想され、作業者の負担軽減が望まれている。
【０００７】
本発明は、このような問題や要望に応えるものであり、栽培装置のコストが安価であり、作業者への負担を軽くすることが可能な植物栽培用誘引装置を提供することを目的とする。
【課題を解決するための手段】
【０００８】
このような課題を解決するため、本発明は、施設内で植物（例えば、実施形態におけるトマトＴ）の栽培列の上方の所定の高さに配設されたレールと、該レールに沿って延びる支持部材及び該支持部材の延びる方向に所定間隔を有して配設されてレールに対して支持部材を移動自在に支持する複数個の支持部を有したランナと、該ランナに設けられて誘引具を着脱自在に取り付ける紐部材とを有することを特徴とする。
【０００９】
この発明によれば、レールに取り付けられるランナはレールに沿って延びる支持部材に所定間隔を有して配設された複数個の支持部を有しているので、誘引具及びランナを介してレールに作用する植物の加重をレールの延びる方向に分散することができる。また支持部材はレールに沿って延びているので、ランナの一端部は隣接する他のランナの他端部に当接することで、必要以上に隣接するランナ同士が接近することはない。このため、レールの一点にかかる荷重を小さくすることができ、レールの剛性や支持強度を低く抑えることができ、その結果、誘引装置全体のコストを安価にすることができる。またランナはレールに沿って移動自在であるので、ランナの移動抵抗は小さい。このため、植物の重量が大きくなってもランナの移動は容易であり、誘引具から誘引紐を繰り出すとともに、誘引紐を横方向に移動させる蔓下げ作業を容易に行うことができる。このため、蔓下げ作業の作業者への負担を軽減することができる。
【００１０】
また本発明は、施設内で植物の栽培列の上方の所定の高さに配設されたレールと、該レールに沿って延びる支持部材及び該支持部材の延びる方向に沿って延びてレールに対して支持部材を摺動自在に支持する支持部を有したランナと、該ランナに設けられて誘引具を着脱自在に取り付ける紐部材とを有することを特徴とする。
【００１１】
この発明によれば、レールに取り付けられるランナはレールに沿って延びる支持部材にこの延びる方向に沿って延びた支持部によって摺動自在に支持されるので、誘引具及びランナを介してレールに作用する植物の加重をレールの延びる方向に分散することができる。また支持部材はレールに沿って延びているので、ランナの一端部は隣接する他のランナの他端部に当接することで、必要以上に隣接するランナ同士が接近することはない。このため、レールの一点にかかる荷重を小さくすることができ、レールの剛性や支持強度を低く抑えることができ、その結果、誘引装置全体のコストを安価にすることができる。またランナは支持部を介してレールに沿って摺動自在であるので、植物の重量が大きくなってもランナの移動は容易であり、誘引具から誘引紐を繰り出すとともに、誘引紐を横方向に移動させる蔓下げ作業を容易に行うことができる。このため、蔓下げ作業の作業者への負担を軽減することができる。
【００１２】
また本発明のレールは、互いに着脱可能なレール部材を複数連結してなることを特徴とする。
【００１３】
この発明によれば、レールは互いに着脱可能なレール部材を複数連結してなることにより、様々な長さの栽培列に対応することができ、レールの途中を取り外してランナを追加したり外したりすることができ、誘引装置の使い勝手を向上することができる。
【００１４】
さらに本発明のレールは、互いに着脱可能なレール部材を複数連結して湾曲したレール部材を端部に配置して環状に形成されることを特徴とする。
【００１５】
この発明によれば、互いに着脱可能なレール部材を複数連結して湾曲したレール部材を端部に配置してレールを環状に形成することにより、栽培列の端部に到達した茎を湾曲したレール部材に沿って移動させてレールの並設された他の直線部に移動させることができる。このため、栽培列の端部に到達した茎を支持部材から一旦外して並設された他のレールに設けられた支持部材に取り付ける作業が不要となり、作業者の労力を軽減することができる。
【００１６】
また本発明のレールは、栽培列の上方の所定の高さに張り渡された支持ワイヤに着脱自在に取り付け可能であることを特徴とする。
【００１７】
この発明によれば、レールは、栽培列の上方の所定の高さに張り渡された支持ワイヤに着脱自在に取り付け可能であることにより、既設の支持ワイヤを利用してレールを栽培列の上方の所定の高さ位置に設けることができる。このため、レールを支持するための新たな部材が不要となり、誘引装置のコストをさらに安価にすることができる。
【００１８】
また本発明の紐部材は、支持部材の一端側と他端側を繋いで支持部材の下方で交差することを特徴とする。
【００１９】
この発明によれば、支持部材に繋がれた紐部材は支持部材の下方で交差することにより、誘引具を紐部材に掛ける方向を２通りにすることができる。このため、誘引具を紐部材に掛ける作業の作業性を向上することができ、作業者の負担をより軽減することができる。
【００２０】
また本発明は、レールに着脱可能に取り付けられ、誘引具から延びる誘引紐に係止された植物の自重によって引っ張られる支持部材の移動を規制する移動規制部材を設けたことを特徴とする。
【００２１】
この発明によれば、移動規制部材をレールに着脱可能に取り付けることにより、誘引具に誘引された植物の自重によりその植物の株側に支持部材が引っ張られて移動する事態を未然に防止することができる。このため、茎が垂れ下がって栽培ベッド等に接触して、病気の発生を抑止することができる。
【発明の効果】
【００２２】
本発明に係わる植物栽培用誘引装置によれば、栽培列の上方に配設されたレールと、このレールに沿って延びる支持部材及び該支持部材の延びる方向に所定間隔を有して配設された複数個の支持部を有したランナと、ランナに設けられて誘引具を着脱自在に取り付ける紐部材とを有することにより、栽培装置のコストが安価であり、作業者への負担を軽くすることが可能な植物栽培用誘引装置を提供することができる。
【発明を実施するための最良の形態】
【００２３】
以下、本発明に係わる植物栽培用誘引装置の好ましい実施の形態を図１から図３に基づいて説明する。本実施の形態は、トマトを栽培する植物栽培用誘引装置を例にして説明する。
【００２４】
植物栽培用誘引装置１は、図１（斜視図）に示すように、温室内においてトマトＴの栽培ベッド１０の栽培列の上方位置に配設されたループ状のレール２０と、このレール２０に沿って移動自在に取り付けられた複数のランナ３０と、各ランナ３０に設けられた紐部材４０と、紐部材４０に掛止された誘引具５０とを有して構成される。
【００２５】
レール２０は、長手方向に沿って延びる一対の直線部２１，２１'と、これら直線部２１，２１'の端部間を繋ぐ湾曲部２３，２３'とを有してなる。レール２０は互いに着脱可能な複数のレール部材２４を連結して形成されている。レール２０は、温室内の所定の高さに設置され、トマトの場合には、約３ｍの高さに設置される。なお、レール２０の配設方向は前述したものに限るものではなく、また直線部２１，２１'及び湾曲部２３，２３'を構成するレール部材２４の長さや数は任意に設定することができる。
【００２６】
レール２０の形状は、特に限定されるものではないが、断面略コ字状又は略Ｃ字状に形成されたものを用い、レール２０は、その開口部を下方に向けて配設されている。レール２０には、ランナ３０が移動自在に取り付けられている。
【００２７】
ランナ３０は、図２（ａ）（側面図）に示すように、レール２０に沿って延びる棒状の支持部材３１と、支持部材３１の延びる方向に所定間隔を有して配設されてレール２０に対して支持部材３１を移動自在に支持する２個の支持部３５を有してなる。支持部材３１は、合成樹脂材料や金属材料で形成され、内部が中空状であって軽量化されている。支持部材３１の断面形状は限定されるものではないが、円形状、矩形状のいずれでもよい。
【００２８】
支持部材３１の長手方向の両端部には、図３（ａ）（側面図）に示すように、短手方向（横方向）に貫通する貫通孔３１ａが設けられている。これらの貫通孔３１ａには、連結紐３２が挿通されて上方へ延びて支持部材３１の上方に環状に繋がっている。この連結紐３２に支持部３５が接続されている。なお、連結紐３２は支持部３５を支持部材３１に連結できればよく、合成樹脂材料や金属材料等で形成されたフックでもよい。
【００２９】
支持部３５は、レール２０内を転動する転動輪３６とこれを回転自在に支持する連結部材３７と、連結部材３７の下部に取り付けられて連結紐３２を通して支持部３５を支持部材３１に連結する連結部３８とを有して構成される。なお、支持部３５の構造は、支持部材３１をレール２０に沿って容易に移動させることができるものであれば前述した構成に限るものではなく、支持部３５を支持部材３１の両端部に設ける他に、これらの中間部に１又は２以上設けてもよい。また転動輪３６の代わりに摺動面を有したスライド部材でもよい。さらに支持部は、支持部材３１の上部に支持部材３１の延びる方向に沿って延びてレール２０に対して摺動する板状部材であってもよい。この場合の板状部材は、支持部材３１の略全長に亘って延びてもよいし、所定長さを有して延びてもよい。
【００３０】
このように構成されたランナ３０が取り付けられるレール２０には、図２（ａ）に示すように、レール２０に対する位置ずれを規制するための移動規制部材６０が取り付けられている。この移動規制部材６０は、レール２０に着脱自在であり、レール２０を挟持して下方へ延びて支持部材３１と当接可能なクリップである。なお、クリップは、図示は省略するが、回動自在に取り付けられて対向配置された一対の挟持部とこれらの挟持部を互いに付勢する付勢ばねと付勢ばねの付勢力に抗して一対の挟持部を互いに離反させる把持部とを有してなる。また移動規制部材６０は、レール２０に取り付ける他に、ランナ３０に内蔵されて外部から操作可能にしたものでもよい。
【００３１】
支持部材３１の両側に設けられた貫通孔３１ａには、図３（ａ）及び（ｂ）（裏面図）に示すように、ワイヤ等の紐部材４０が繋がっている。この紐部材４０は貫通孔３１ａに通されて下方に垂れ下がり、支持部材３１の下方で交差している。
【００３２】
紐部材４０に掛止される誘引具５０は、図２（ａ）に示すように、上部に設けられたフック状の掛止部５１と、掛止部５１の下部に接続されて誘引紐７０を繰り出し及び巻き戻し可能な本体部５２と本体部５２から繰り出された誘引紐７０の繰り出しを規制するロック装置（図示せず）とを有してなる。
【００３３】
次に、前述した植物栽培用誘引装置１によるトマトＴの誘引作業について説明する。図１に示すように、先ず、栽培ベッド１０の栽培列の上方に延びるレール２０に取り付けられた複数のランナ３０のそれぞれに誘引具５０を掛止し、栽培ベッド１０に植えられているトマトＴの各株に対応する誘引具５０から誘引紐７０を繰り出して垂下させ、誘引紐７０の下端部をトマトＴの茎Ｔｋの下部に係止する。そして、茎Ｔｋが伸びるに従い、誘引紐７０を成長した茎Ｔｋの先端部にクリップで止めて、誘引紐７０により茎Ｔｋを支えながら成長させる。
【００３４】
そして、茎Ｔｋが一定長さ伸びると、誘引具５０から誘引紐７０を繰り出して茎Ｔｋの上部に巻き掛け、そして、その誘引具５０を掛止したランナ３０をレール２０に沿って矢印Ａ方向（右側方向）に移動させて茎Ｔｋを支持して、茎Ｔｋの下部が湾曲するようにしながら栽培していく。
【００３５】
ここで、ランナ３０の支持部材３１は、図２（ａ）に示すように、レール２０に沿って延びた棒状部材であり、且つその両端部に支持部３５が設けられているので、誘引具５０及びランナ３０を介してレール２０に作用する植物（トマト）の加重をレール２０の延びる方向に分散することができる。また、支持部材３１はレール２０に沿って延びているので、ランナ３０の一端部は隣接する他のランナ３０の他端部に当接するので、必要以上に隣接するランナ同士が接近することはない。このため、レール２０の一点にかかる荷重を小さくすることができ、レール２０の剛性や支持強度を低く抑えることができ、その結果、誘引装置全体のコストを安価にすることができる。またランナ３０は図３（ａ）に示す転動輪３６を介して移動自在であるので、ランナ３０の移動抵抗は小さい。このため、植物（トマト）が多収化されて植物の重量が大きくなってもランナ３０の移動は容易であり、誘引具５０から誘引紐７０を繰り出すとともに、誘引紐７０を横方向に移動させる蔓下げ作業を容易に行うことができる。このため、蔓下げ作業の作業者への負担を軽減することができる。
【００３６】
またレール２０は複数のレール部材２４を連結して構成されているので、図２（ｂ）（側面図）に示すように、これらのレール部材２４を栽培ベッドの上方の所定の高さに張り渡されている支持ワイヤ７３に取り付けることができる。このため、既存の支持ワイヤ７３を利用してレール２０を配設することができ、植物栽培用誘引装置１のコストをさらに安価にすることができる。
【００３７】
またレール２０は互いに着脱可能な複数のレール部材２４から構成されているので、レール部材２４を連結する構成を変えることで、様々な長さの栽培列に対応することができ、またレール２０の途中のレール部材２４を取り外してランナ３０を追加したり外したりすることもできる。このため、植物栽培用誘引装置１の使い勝手を向上することができる。
【００３８】
さらに、図１に示すように、レール２０は端部に湾曲したレール部材を配置して環状に形成されているので、栽培ベッド１０の端部に到達した茎Ｔｋを湾曲したレール部材に沿って移動させてレール２０の並設された他の直線部２１'に移動させることができる。このため、栽培ベッド１０の端部に到達した茎Ｔｋをランナ３０から一旦外してループ状に繋がっていない他の直線部２１'に茎Ｔｋを引っ掛ける作業が不要となり、作業者の労力を軽減することができる。
【００３９】
また図３（ｂ）（裏面図）に示すように、支持部材３１に設けられた紐部材４０は支持部材３１の下方で交差しているので、誘引具５０を紐部材４０に掛ける方向を二点鎖線I、IIで示すような２通りにすることができる。このため、誘引具５０を紐部材４０に掛ける作業のし易さが向上して、作業者の負担をより軽減することができる。
【００４０】
また図２（ａ）に示すように、移動規制部材６０をレール２０に着脱可能に取り付けることにより、誘引具５０に誘引された植物の自重によりその植物の株側に支持部材３１が引っ張られて移動する事態を未然に防止することができ、茎Ｔｋが垂れ下がって栽培ベッド１０等に接触して、病気の発生を抑止することができる。
【図面の簡単な説明】
【００４１】
【図１】本発明の一実施の形態に係わる植物栽培用誘引装置の斜視図を示す。
【図２】この植物栽培用誘引装置の側面図を示し、同図（ａ）は誘引装置の動作を説明するための側面図であり、同図（ｂ）はレールの取り付け方法を説明するための側面図である。
【図３】ランナを示し、同図（ａ）はランナの側面図であり、同図（ｂ）はランナの裏面図である。
【符号の説明】
【００４２】
１  植物栽培用誘引装置
２０  レール
２４  レール部材
３０  ランナ
３１  支持部材
３５  支持部
４０  紐部材
５０  誘引具
６０  移動規制部材
７３  支持ワイヤ
Ｔ  トマト（植物）
【図１】
2007151434.tif 000003
【図２】
2007151434.tif 000004
【図３】
2007151434.tif 000005